【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
関連する高周波エネルギーで患者に熱傷させることなくＭＲＩを実行する方法であって、
ＭＲＩ円筒部を有するＭＲＩデバイスを準備することと、
前記ＭＲＩ円筒部の中心軸線に略平行な平面内であるが、ある角度で前記中心軸線からずらして撮像視野を有する赤外線カメラを配置することと、
ＲＦエネルギーを前記ＭＲＩ円筒部内にいる前記患者に印加することと、
前記赤外線カメラを用いて、前記ＭＲＩの間、前記患者の体温をモニタすることと、
前記ＭＲＩの間、前記赤外線カメラの前記撮像視野を変更して前記患者の体温を頭部からつま先までスキャンすることと
を含む方法。
【請求項２】
赤外波長が透過可能な赤外線透過性ガウンを前記患者に着用させるが、前記患者の体を視覚的に隠蔽することを含む、請求項１に記載の方法。
【請求項３】
前記赤外線カメラで画角を規定することと、
前記画角を調節して、前記ＭＲＩ円筒部内の前記患者の体を撮像することとを含む、請求項１に記載の方法。
【請求項４】
前記赤外線カメラでレンズ傾斜角を規定することと、
前記レンズ傾斜角を調節して、前記ＭＲＩ円筒部内の前記患者の体を撮像することと
を含む、請求項１に記載の方法。
【請求項５】
前記赤外線カメラを前記中心軸線に平行な平面内に配置することは、前記中心軸線から上方に一定の距離を空けて前記赤外線カメラを配置することを含む、請求項１に記載の方法。
【請求項６】
前記患者の体温が閾値温度を超えたことに応じて前記ＭＲＩを停止させることをさらに含む、請求項１に記載の方法。
【請求項７】
ＭＲＩを受ける患者をモニタするシステムであって、
患者の体を取り囲み、前記患者の体のＭＲＩ画像を提供するように構成され、長手軸線を規定する円筒部と、
前記ＭＲＩ画像とは別に前記患者の体を撮像し、出力及び調節可能な撮像視野を含み、前記円筒部の前記長手軸線に対して複数の画角で配置可能な赤外線カメラと、
前記赤外線カメラの前記出力に基づいて、前記患者の体の表面温度をモニタするように構成され、前記患者の体のＭＲＩイメージング中、前記赤外線カメラの前記撮像視野及び前記赤外線カメラの前記画角のうち少なくとも１つを制御するようにさらに構成されている、プロセッサと
を備える、システム。
【請求項８】
前記プロセッサは、前記表面温度が閾値を超えたことに応じて前記患者の体のＭＲＩイメージングを終了するようにさらに構成された、請求項７に記載のシステム。
【請求項９】
前記プロセッサは、前記患者の表面温度のコンピュータモデルを生成するようにさらに構成された、請求項７に記載のシステム。
【請求項１０】
前記赤外線カメラは、前記赤外線カメラとの混信を最小限に抑えるためにＭＲＩ磁場の外部に配置される、請求項７に記載のシステム。
【請求項１１】
８ミクロン〜１４ミクロン（境界値を含む）の波長に対して赤外線透過性材料で作製された患者用ガウンを備える、請求項７に記載のシステム。
【請求項１２】
前記患者用ガウンは、ポリエチレン、ポリプロピレン、及びこれらの組み合わせのうち少なくとも１つで作製される、請求項１１に記載のシステム。
【請求項１３】
少なくとも部分的に前記赤外線カメラを内部に収容する導電性密閉容器をさらに備える、請求項７に記載のシステム。
【請求項１４】
前記調節可能な撮像視野は、４°〜１２°（境界値を含む）の撮像視野を含む、請求項７に記載のシステム。
【請求項１５】
前記赤外線カメラは、調節可能なスキャン周波数を含み、前記プロセッサは、前記患者の表面温度の局所的上昇に応じて前記スキャン周波数を増加させるようにさらに構成される、請求項７に記載のシステム。
【請求項１６】
前記赤外線カメラは、調節可能なレンズ傾斜角を含み、前記プロセッサは、ＭＲＩイメージング中前記レンズ傾斜角を調節するようにさらに構成される、請求項７に記載のシステム。
【請求項１７】
関連する高周波エネルギーで患者に熱傷させることなく磁気共鳴イメージング（ＭＲＩ）を実行する方法であって、
ＭＲＩ円筒部を有するＭＲＩデバイスを準備することと、
前記ＭＲＩ円筒部内である範囲の画角で前記患者を撮像するようにＩＲカメラを配置して、前記患者の皮表温度の複合的スキャンを取得することと、
ＩＲ波長が透過可能なＩＲ透過性ガウンを前記患者に着用させるが、前記患者の体を視覚的に隠蔽することと、
前記ＭＲＩの間、前記ＩＲカメラの前記撮像視野を変更して前記患者の皮表温度をおよそ頭部からつま先までモニタすることと、
前記患者の前記皮膚表面に沿った局所的領域における温度上昇を検出すると、前記ＩＲカメラのスキャン周波数を増加させることと、
ＩＲカメラスキャンデータを補正して、前記スキャン中に検出された異常に対処することと、
危険な皮表温度を検出すると、前記ＭＲＩの操作を調整することと
を含む方法。
【請求項１８】
前記ＭＲＩの動作を調整することは、危険な皮表温度を検出すると前記ＭＲＩを停止することを含む、請求項１７に記載の方法。
【請求項１９】
前記患者の皮表温度のコンピュータモデルを生成することを含む、請求項１７に記載の方法。
【請求項２０】
ＩＲカメラスキャンデータを補正することは、前記ＩＲ透過性ガウンに起因する温度データを減算することを含む、請求項１７に記載の方法。
【請求項２１】
前記ＩＲカメラの前記撮像視野を変更することは、前記撮像視野を４°〜１２°（境界値を含む）の複数の角度で変更することを含む、請求項１７に記載の方法。
【請求項２２】
前記ＩＲ透過性ガウンは、８ミクロン〜１４ミクロンの波長を有するＲＦエネルギー透過性である、請求項１７に記載の方法。
【請求項２３】
前記ＩＲ透過性ガウンは、糸目幅の粗い織りの布地を備える、請求項２２に記載の方法。
【請求項２４】
前記ＩＲカメラを配置することは、前記ＩＲカメラとの混信を最小限に抑えるためにＭＲＩ磁場の外部に前記ＩＲカメラを位置決めすることを含む、請求項１７に記載の方法。
【請求項２５】
関連する高周波エネルギーで患者に熱傷させることなくＭＲＩを実行する方法であって、
中心軸線を規定するＭＲＩ円筒部を有するＭＲＩデバイスを準備することと、
撮像視野及び調節可能なレンズ傾斜角を含む赤外線カメラを準備することと、
前記ＭＲＩ円筒部の内部が前記赤外線カメラの撮像視野内に来るように、前記赤外線カメラを前記ＭＲＩ円筒部の前記中心軸線の上方に配置することと、
前記赤外線カメラの前記レンズ傾斜角を調節して、前記患者用円筒部の長さに沿って患者の焦点の合った熱画像を提供することと、
ＲＦエネルギーを前記ＭＲＩ円筒部内にいる前記患者に印加することと、
前記赤外線カメラを用いて、前記ＭＲＩの間、前記患者の体温をモニタすることと
を含む方法。
【請求項２６】
前記ＭＲＩ中の前記患者の体温に基づいて、前記ＭＲＩの間、ＲＦエネルギーの印加を制御することをさらに含む、請求項２５に記載の方法。
【請求項２７】
前記レンズ傾斜角を再調節して、前記ＭＲＩ円筒部内の局所的ホットスポットの収集を改善することをさらに含む、請求項２５に記載の方法。
【請求項２８】
ＭＲＩイメージング中患者の温度をモニタするシステムであって、
ＭＲＩ円筒部内にいる患者を撮像し、複数の画像フレームを含む出力を提供するサーマルカメラと、
前記サーマルカメラの出力に接続されており、
前記複数の画像フレームに関して、前記画像フレーム全体よりも小さい関心領域を規定すること、
前記関心領域に関して、前記関心領域内の平均温度に基づく温度値を決定すること、
前記関心領域の前記温度値と閾値を比較すること、及び
前記温度値が、前記プロセッサにより決定される前もっての温度値に基づく閾値よりも大きい場合に警告を開始すること
という命令を実行するように構成されたプロセッサと
を備えるシステム。
【請求項２９】
前記温度値は、前記関心領域内の前記平均温度の変化の時間速度を含む、請求項２８に記載のシステム。
【請求項３０】
前記温度値は、短期温度変化を長期温度変化で除した商を含む、請求項２８に記載のシステム。